(57)【要約】【課題】造り付けでありながら、棚板の位置や容量を、簡単な作業だけで、いつでも自由に変更することができる壁面ラックユニットを提供する。【解決手段】棚板１と、チャンネル材２と、上段下地材３ａ及び下段下地材３ｂと、壁板材４と、楔材５とによって構成され、チャンネル材２を、溝が室内側に開口する向きで、水平方向へ延在するように、柱８等の構造材に対して取り付け、チャンネル材２の下側に下段下地材３ｂを配置し、上側に上段下地材３ａを配置し、上段下地材３ａの室内側の面に、チャンネル材２の上方の室内壁面を構成する壁板材４の下縁部を取り付け、下段下地材３ｂの室内側の面に、チャンネル材２の下方の室内壁面を構成する壁板材４の上縁部を取り付ける。【選択図】図１
2018127877.tif 000002
【特許請求の範囲】
【請求項１】
棚板と、チャンネル材と、上段下地材及び下段下地材と、壁板材と、楔材とによって構成され、
チャンネル材は、溝が室内側に開口する向きで、水平方向へ延在するように取り付けられ、
チャンネル材の下側に下段下地材が配置され、上側に上段下地材が配置され、
上段下地材の室内側の面には、チャンネル材の上方の室内壁面を構成する壁板材の下縁部が取り付けられ、下段下地材の室内側の面には、チャンネル材の下方の室内壁面を構成する壁板材の上縁部が取り付けられ、
棚板の一方の長手側縁をチャンネル材の溝内に挿入し、棚板の下面とチャンネル材の下顎部との隙間、又は、棚板の上面とチャンネル材の上顎部との隙間に楔材を差し込むことによって、或いは、楔材が一体化された棚板の一方の長手側縁をチャンネル材の溝内に挿入することによって、棚板を室内壁面に対して固定できるように構成されていることを特徴とする壁面ラックユニット。
【請求項２】
壁板材と柱との間の、上段下地材及び下段下地材の寸法に対応した空間内に、断熱材及び／又は防音材が配置されていることを特徴とする、請求項１に記載の壁面ラックユニット。
【請求項３】
棚板として、下面側に桁材が固定されているものが用いられていることを特徴とする、請求項１又は請求項２に記載の壁面ラックユニット。
【請求項４】
楔材として、棚板の荷重を支持する桁材と一体化されているものが用いられていることを特徴とする、請求項１〜３のいずれかに記載の壁面ラックユニット。
【請求項５】
チャンネル材の奥側に下地パッキン材が配置されていることを特徴とする、請求項１〜４のいずれかに記載の壁面ラックユニット。
【請求項６】
チャンネル材は、上顎前縁部が上方へ向かって延長され、及び／又は、下顎前縁部が下方へ向かって延長されていることを特徴とする、請求項１〜５のいずれかに記載の壁面ラックユニット。
【請求項７】
楔材を挿入した場合に、棚板とチャンネル材との間の係合状態を実現し、維持することができる係合手段が、棚板とチャンネル材に形成されていることを特徴とする、請求項１〜６のいずれかに記載の壁面ラックユニット。
【請求項８】
棚板の一方の長手側縁をチャンネル材の溝内に挿入し、棚板の下面とチャンネル材の下顎部との隙間に楔材を差し込むことによって、棚板を室内壁面に対して固定できるように構成され、
楔材が、サドルバンドにより、棚板の下面に沿って所定範囲内で摺動可能なように保持されていることを特徴とする、請求項１〜７のいずれかに記載の壁面ラックユニット。
【発明の詳細な説明】
【技術分野】
【０００１】
本発明は、住居やオフィス等の室内壁面において構成される壁面ラックユニットに関する。
【背景技術】
【０００２】
従来より、住居やオフィス等の室内壁面に、書籍、家電製品、その他の雑貨等を収納し、或いは、ディスプレイするための設備として、様々なタイプの壁面ラックが設置されている。壁面ラックには、什器として後付けで設置されるもののほか、施工当初から、いわゆる「造り付け」として設置されるものがある。
【０００３】
後付けで設置される壁面ラックは、一旦設置した後でも、ユーザーの希望に応じていつでも簡単に移動し、又は、撤去することができるという利点を有するが、容量に限界があり、例えば、一つの壁面の全体にわたって設置しようとすると、費用が高額となってしまうほか、地震等に備えて、転倒防止措置を講じる必要がある。
【０００４】
一方、造り付けの壁面ラックは、壁面に造り付けられているため、地震等による転倒の危険はなく、問題なく大容量のものとすることができるが、撤去、或いは、移動が困難で、レイアウト変更（部屋の模様替え）に対する選択の自由度が低いという問題がある。
【先行技術文献】
【特許文献】
【０００５】
【特許文献１】特開２０１０−２７９６４９号公報
【発明の概要】
【発明が解決しようとする課題】
【０００６】
什器としての壁面ラックと造り付けの壁面ラックには、上述の通り、それぞれ一長一短があるところ、両者の長所を併せ持ち、かつ、安価に施工することができるような壁面ラックのユニット化が望まれている。
【０００７】
本発明は、このような従来技術における問題を解決しようとするものであって、造り付けでありながら、棚板の位置や容量を、簡単な作業だけで、いつでも自由に変更することができる壁面ラックユニットを提供することを目的とする。
【課題を解決するための手段】
【０００８】
本発明に係る壁面ラックユニットは、棚板と、チャンネル材と、上段下地材及び下段下地材と、壁板材と、楔材とによって構成され、チャンネル材は、溝が室内側に開口する向きで、水平方向へ延在するように、柱等の構造材に対して取り付けられ、チャンネル材の下側に下段下地材が配置され、上側に上段下地材が配置され、上段下地材の室内側の面には、チャンネル材の上方の室内壁面を構成する壁板材の下縁部が取り付けられ、下段下地材の室内側の面には、チャンネル材の下方の室内壁面を構成する壁板材の上縁部が取り付けられ、棚板の一方の長手側縁をチャンネル材の溝内に挿入し、棚板の下面とチャンネル材の下顎部との隙間、又は、棚板の上面とチャンネル材の上顎部との隙間に楔材を差し込むことによって、或いは、楔材が一体化された棚板の一方の長手側縁をチャンネル材の溝内に挿入することによって、棚板を室内壁面に対して固定できるように構成されていることを特徴としている。
【０００９】
尚、壁板材と柱との間の、上段下地材及び下段下地材の寸法に対応した空間内には、断熱材及び／又は防音材を配置してもよく、また、棚板として、下面側に桁材が固定されているものを用いることができるほか、楔材として、棚板の荷重を支持する桁材と一体化されているものを用いることもできる。
【００１０】
更に、チャンネル材の奥側に下地パッキン材を配置することもでき、また、チャンネル材として、上顎前縁部が上方へ向かって、及び／又は、下顎前縁部が下方へ向かって延長されているものを用いることもできる。また、楔材を挿入した場合に、棚板とチャンネル材との間の係合状態を実現し、維持することができる係合手段が、棚板とチャンネル材に形成されていることが好ましく、更に、楔材が、サドルバンドにより、棚板の下面に沿って所定範囲内で摺動可能なように保持されていることが好ましい。
【発明の効果】
【００１１】
本発明に係る壁面ラックユニットは、地震等による転倒の危険がなく、棚板の配置をいつでも自由に、しかも、極めて簡単な作業だけで変更することができ、什器としての壁面ラックの長所と造り付けの壁面ラックの長所を併せ持ち、かつ、安価に施工することができる。
【００１２】
また、壁板材と柱との間の空間内に断熱材又は防音材を配置した場合には、断熱性能又は防音性能をより一層向上させることができる。更に、楔材を挿入した場合に、棚板とチャンネル材との間の係合状態を実現し、維持することができる係合手段を、棚板とチャンネル材に形成した場合、楔材が引き抜かれない限り、棚板が容易には脱落しない状態とすることができる。
【図面の簡単な説明】
【００１３】
【図１】図１は、本発明の第一実施形態に係る壁面ラックユニットの構造を示す部分的な断面図である。
【図２】図２は、図１に示す壁面ラックユニットを用いて構成した室内壁面の一例を示す図（室内壁面の正面図）である。
【図３】図３は、本発明に係る壁面ラックユニットにおいて用いられる棚板１の他の構成例を示す図である。
【図４】図４は、本発明に係る壁面ラックユニットにおいて用いられる楔材５の他の構成例を示す図である。
【図５】図５は、本発明の第二実施形態に係る壁面ラックユニットの構造を示す部分的な断面図である。
【図６】図６は、図５に示す棚板１の下面に取り付けられている楔材５及びサドルバンド１４の斜視図である。
【図７】図７は、図５に示す壁面ラックユニットにおいて、棚板１をチャンネル材２内に挿入し、固定した状態を示す部分的な断面図である。
【発明を実施するための形態】
【００１４】
以下、添付図面に沿って、本発明に係る壁面ラックユニットの実施形態について説明する。図１は、本発明の第一実施形態に係る壁面ラックユニットの構造を示す部分的な断面図である。図示されているように、この壁面ラックユニットは、棚板１と、断面が「コ」の字状のチャンネル材２と、チャンネル材２を固定するための上下一対の下地材（上段下地材３ａ、下段下地材３ｂ）と、壁板材４と、楔材５とによって構成される。
【００１５】
本実施形態においては、棚板１として、厚さ１８ｍｍ、長さ（横幅）８００ｍｍ、奥行き２１０ｍｍの天然木の板材が用いられているが、集成材、化粧合板、或いは、その他の板材を用いることもできる。また、チャンネル材２として、溝幅２０ｍｍの樹脂成形材が用いられているが、アルミ型材を用いることもでき、上段下地材３ａ及び下段下地材３ｂとしては、３０×４０ｍｍの木材が用いられている。壁板材４としては、石膏ボード（及び壁紙材）が用いられているが、天然木の板材、集成材、化粧合板、或いは、その他の板材を用いることもできる。楔材５としては、断面が「Ｔ」字状で、一方側にテーパ部分を有する樹脂成形材が用いられている。
【００１６】
チャンネル材２は、溝が室内側（図１において左側）に開口する向きで、水平方向へ延在するように、柱８（又はその他の構造材）（間柱等を含む。）に対して取り付けられる。チャンネル材２の下側には下段下地材３ｂが配置され、上側には上段下地材３ａが配置される。これらの下地材３ａ，３ｂは、図示しないビスによって、柱８（又はその他の構造材）に固定される。また、上段下地材３ａの室内側の面には、チャンネル材２の上方の室内壁面を構成する壁板材４の下縁部が取り付けられ、下段下地材３ｂの室内側の面には、チャンネル材２の下方の室内壁面を構成する壁板材４の上縁部が取り付けられる。
【００１７】
この壁面ラックユニットにおいては、極めて簡単な作業だけで、棚板１を室内壁面に対し着脱することができる。より具体的には、図１に示すように、棚板１の一方の長手側縁をチャンネル材２の溝内に挿入し、その後、棚板１の下面とチャンネル材２の下顎部との隙間に楔材５を差し込む（或いは、棚板１と楔材５をチャンネル材２の溝内に同時に差し込む）だけで、棚板１を室内壁面に対してしっかりと固定することができ、また、チャンネル材２の溝内から引き抜くことにより、棚板１を簡単に取り外すことができる。
【００１８】
図２は、図１に示す壁面ラックユニットを用いて構成した室内壁面の一例を示す図である。この図に示すように、例えば一つの室内壁面９（床面１０から天井面１１まで）の全面を対象として、複数本のチャンネル材２を上下に間隔をおいて配置し、上下に隣接するチャンネル材２，２の間に壁板材４を配置することにより、水平方向へ延在する目地が複数本形成された、いわゆる「目透かし張り」の室内壁面９とすることができるとともに、それらの目地（チャンネル材２）を利用して、棚板１を自由に配置することができ、室内壁面９の全面を「造り付けの壁面ラック」として使用することができる。また上述の通り、棚板１は、チャンネル材２に対して簡単に着脱することができるため、棚板１の配置を、いつでも自由に変更することができる。
【００１９】
更に、図１に示すように、壁板材４と柱８との間には、下地材（上段下地材３ａ、下段下地材３ｂ）の寸法に対応した空間Ｓが形成されることになるため、断熱効果、及び、防音効果の向上を期待することができる。尚、この空間Ｓには、必要に応じて断熱材や防音材を配置することもできる。
【００２０】
尚、図１に示す棚板１は、単一の板材によって構成されているが、より大きな荷重に耐えられるように、図３に示すような桁材１２，１２を下面側に固定した棚板１を用いることもできる。また、図４に示すように、桁材１２と一体化された楔材５を、棚板１（図１参照）の下側に配置することによって、棚板１の耐荷重性能を向上させることもできる。更に、下面（又は上面）に楔材が一体化された棚板、例えば、図１に示す楔材５がビス止めされている棚板や、楔材のテーパ部分に相当する部分が一体的に形成されている棚板等（いずれも図示せず）を用いることもできる。
【００２１】
また、図１の例では、楔材５は、棚板１の下面とチャンネル材２の下顎部との隙間に差し込まれているが、棚板１の上面とチャンネル材２の上顎部との隙間に差し込むことによって、棚板１を室内壁面に対して固定できるように構成してもよい。
【００２２】
図５は、本発明の第二実施形態に係る壁面ラックユニットの構造を示す部分的な断面図である。図示されているように、本実施形態においては、チャンネル材２の奥側（柱８側）に下地パッキン材１３が配置されている。この下地パッキン材１３は、原料樹脂を押し出して成形したものであり、上段下地材３ａ又は下段下地材３ｂと壁板材４の合計の厚さ寸法が、チャンネル材２の奥行き寸法よりも大きい場合に、適切な厚さ寸法の下地パッキン材１３をチャンネル材２の奥側に配置することにより、柱８（又はその他の構造材）との間に隙間をあけることなく、チャンネル材２の先端開口部の位置を、壁板材４の表面の位置と一致させることができる。
【００２３】
また、本実施形態において用いられているチャンネル材２は、上顎前縁部２ａが上方へ向かって、また、下顎前縁部２ｂが下方へ向かって、それぞれ僅かずつ延長された構造となっており、このチャンネル材２を壁面に取り付けた場合、上顎前縁部２ａに当接される壁板材４の下縁部前面側、及び、下顎前縁部２ｂに当接される壁板材４の上縁部前面側が覆い隠された状態となり、美麗な外観とすることができるほか、壁板材４の表面に壁紙が貼り付けられている場合には、その剥離を好適に防止することができる。
【００２４】
更に、チャンネル材２の上顎部の下向面には、下方へ向かって突出する突条２ｃが長手方向に沿って形成されており、一方、棚板１の上面（突条２ｃに対応する位置）には、嵌合溝１ａが形成されている。また、棚板１の下面には、断面が「Ｆ」字状で、奥側にテーパ部分を有する楔材５が、図６に示すように、角形のサドルバンド１４により、棚板１の下面に沿って所定範囲内で摺動可能なように取り付けられている。
【００２５】
本実施形態の壁面ラックユニットにおいて、棚板１を室内壁面に対し取り付ける場合、まず、棚板１の奥側の長手側縁をチャンネル材２の内側に挿入することになるが、このとき、突条２ｃとぶつからないように、チャンネル材２の下顎部の上向面に沿って棚板１を進入させていく。チャンネル材２の最奥部に突き当たるまで棚板１を挿入したら、棚板１を持ち上げて、チャンネル材２の上顎部の下向面に当接させる。
【００２６】
そうすると、チャンネル材２の突条２ｃが、棚板１の嵌合溝１ａ内に嵌合した状態となる。最後に、楔材５を奥側へスライドさせて、図７に示すように、チャンネル材２の下顎部と棚板１の下面との隙間に、楔材５の先端側を奥まで進入させると、チャンネル材２に対して棚板１が係合した状態（棚板１がチャンネル材２から容易には脱落しない状態）となる。
【００２７】
また反対に、棚板１を室内壁面から取り外すときには、単に楔材５を手前側へスライドさせて、チャンネル材２と棚板１との隙間から引き抜けば、係合状態の解除が可能となり、棚板１をチャンネル材２の内側から簡単に引き抜くことができる。
【００２８】
尚、棚板１とチャンネル材２との間の係合状態を実現する係合手段は、一方の部材に形成された嵌合溝と、他方の部材に形成された突条には限定されず、楔材５を挿入した場合に、棚板１とチャンネル材２との間の係合状態を維持できるものであれば、どのような手段でも採用することができる。
【符号の説明】
【００２９】
１：棚板、
１ａ：嵌合溝、
２：チャンネル材、
２ａ：上顎前縁部、
２ｂ：下顎前縁部、
２ｃ：突条、
３ａ：上段下地材、
３ｂ：下段下地材、
４：壁板材、
５：楔材、
８：柱、
９：室内壁面、
１０：床面、
１１：天井面、
１２：桁材、
１３：下地パッキン材、
１４：サドルバンド
【図１】
2018127877.tif 000003
【図２】
2018127877.tif 000004
【図３】
2018127877.tif 000005
【図４】
2018127877.tif 000006
【図５】
2018127877.tif 000007
【図６】
2018127877.tif 000008
【図７】
2018127877.tif 000009